【事件の表示】
　特願２００４−３７０６８２「ビデオ信号における動き検出」拒絶査定不服審判事件〔平成１７年　７月　７日出願公開、特開２００５−１８４８４９〕について、次のとおり審決する。
【結　論】
　本件審判の請求は、成り立たない。
【理　由】
第１　経緯
１　経緯
　本願は、平成１６年１２月２２日（パリ条約による優先権主張２００３年１２月２３日、米国、２００４年１１月１０日、米国）の出願であって、平成２２年９月３０日付けで拒絶理由が通知され、これに対し、平成２３年３月３日付けで意見書が提出されると同時に手続補正がなされたが、平成２３年３月２５日付け（発送日同年３月２９日）で拒絶査定がなされたものである。
　本件は、本願についてなされた上記拒絶査定を不服として平成２３年７月２７日付けで請求された拒絶査定不服審判であって、同時に手続補正がなされたものである。
　　
２　査定の概要
　原査定の理由は、概略、次のとおりである。
　　
［査定の理由］
　請求項１から２１に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１：特許第２９４２２６１号公報
　引用文献２：特許第３２３１３０９号公報
　引用文献３：特開平１−３１８４９１号公報
　引用文献４：特開平８−１６３５８３号公報
　引用文献５：特開平９−４６７２６号公報
　引用文献６：特許第２７３７１４６号公報
　　
第２　補正却下の決定
　平成２３年７月２７日付けの手続補正について次のとおり決定する。
 　 
［補正却下の決定の結論］
　平成２３年７月２７日付けの手続補正を却下する。
　　
［理由］
１　補正の内容
　平成２３年７月２７日付けの手続補正（以下「本件補正」という。）は、特許請求の範囲についてする補正であり、本件補正は、補正前の請求項３、請求項１６の削除及びこれに伴う請求項の繰り上げ、引用する請求項の番号の補正と、請求項１、請求項１３の補正である。
　　
　請求項１の補正は、
「テレビ受像機によって受信されたビデオ信号において、真の動きから偽の動きを識別する方法であって、
　輝度成分と色度成分とを含む前記ビデオ信号を前記テレビ受像機において受信するステップと、
　前記受信ビデオ信号のいくつかの周波数領域内で、前記色度成分及び前記輝度成分のそれぞれについて、動き検出処理を実行するステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。」（補正前の請求項１）
　　
を、次のとおりに補正するものである。
　　
「テレビ受像機によって受信されたビデオ信号において、真の動きから偽の動きを識別する方法であって、
　輝度成分と色度成分とを含む前記ビデオ信号を前記テレビ受像機において受信するステップと、
　前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。」（補正後の請求項１）
 　 
　また、請求項１３の補正は、
「テレビ受像機によって受信されたビデオ信号において、真の動きから偽の動きを識別するための動き検出部であって、
　輝度成分及び色度成分を含む前記ビデオ信号を受信するように動作可能な受信部と、
　前記受信ビデオ信号のいくつかの周波数領域内で、前記色度成分及び前記輝度成分のそれぞれについて、動き検出処理を実行するように動作可能な動き検出器と、
　各ピクセル及び各周波数領域に対する別個の閾値を決定するように動作可能な可変閾値ロジックブロックと、を備え、
　前記動き検出器は、各ピクセル及び各周波数領域に対する前記別個の閾値を用いて真の動きから偽の動きを識別するように動作可能である、動き検出部。」（補正前の請求項１４）
　　
を、次のとおりに補正するものである。
　　
「テレビ受像機によって受信されたビデオ信号において、真の動きから偽の動きを識別するための動き検出部であって、
　輝度成分及び色度成分を含む前記ビデオ信号を受信するように動作可能な受信部と、
　前記受信ビデオ信号のいくつかの周波数領域内で、前記色度成分及び前記輝度成分のそれぞれについて、動き検出処理を実行するように動作可能な動き検出器であって、前記動き検出処理は、低周波輝度領域と、高周波色度領域と、高周波輝度領域とのうち二つ以上において実行される動き検出器と、
　各ピクセル及び各周波数領域に対する別個の閾値を決定するように動作可能な可変閾値ロジックブロックと、を備え、
　前記動き検出器は、各ピクセル及び各周波数領域に対する前記別個の閾値を用いて真の動きから偽の動きを識別するように動作可能である、動き検出部。」（補正後の請求項１３）
　　
２　補正の適合性 
（１）補正の目的 
　本件補正のうち、補正前の請求項３、請求項１６を削除する補正は、請求項の削除を目的とするものである。
　本件補正のうち、請求項１、請求項１３の補正は、特許請求の範囲の減縮を目的とするものである。理由は以下のとおりである。 
　「前記受信ビデオ信号のいくつかの周波数領域内で、前記色度成分及び前記輝度成分のそれぞれについて、動き検出処理を実行するステップ」（補正前の請求項１）を、「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップ」（補正後の請求項１）とする補正は、「前記受信ビデオ信号のいくつかの周波数領域内で、前記色度成分及び前記輝度成分のそれぞれについて、動き検出処理を実行するステップ」を限定していると認められるから、特許請求の範囲の減縮に相当する。
　また、「前記受信ビデオ信号のいくつかの周波数領域内で、前記色度成分及び前記輝度成分のそれぞれについて、動き検出処理を実行するように動作可能な動き検出器」（補正前の請求項１４）を、「前記受信ビデオ信号のいくつかの周波数領域内で、前記色度成分及び前記輝度成分のそれぞれについて、動き検出処理を実行するように動作可能な動き検出器であって、前記動き検出処理は、低周波輝度領域と、高周波色度領域と、高周波輝度領域とのうち二つ以上において実行される動き検出器」（補正後の請求項１３）とする補正は、「前記受信ビデオ信号のいくつかの周波数領域内で、前記色度成分及び前記輝度成分のそれぞれについて、動き検出処理を実行するように動作可能な動き検出器」を限定していると認められるから、特許請求の範囲の減縮に相当する。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１から１９に係る発明のうち請求項１に係る発明は、補正後の特許請求の範囲の請求項１に記載された以下のとおりのものである。 
　　
「テレビ受像機によって受信されたビデオ信号において、真の動きから偽の動きを識別する方法であって、
　輝度成分と色度成分とを含む前記ビデオ信号を前記テレビ受像機において受信するステップと、
　前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。」
 　 
　ここで、「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップ」における「前記動き検出処理は、低周波輝度領域と、高周波色度領域と、高周波輝度領域とのうち二つ以上において実行される」がどのようなことを意味しているのか検討する。
　　
　本願明細書には次の記載がある。
　〈課題を解決するための手段〉として、
　「一般に、一態様において、本発明は、テレビ受像機によって受信されたビデオ信号において、真の動きから偽の動きを識別する手法を実施及び使用する、コンピュータプログラム製品を含む方法及び装置を提供する。ビデオ信号は、テレビ受像機において受信される。ビデオ信号は、輝度成分と色度成分とを含む。動き検出処理は、受信ビデオ信号のいくつかの周波数領域において、色度成分及び輝度成分のそれぞれについて実行される。各周波数領域は、真の動きから偽の動きを識別するための固有の閾値を有し、閾値は着信ビデオ信号に基づいて動的に調節される。これにより、ビデオ信号により表現され、テレビ受像機での表示の対象となる画像において、動き検出の精度が向上し、画像アーチファクトが最小化される。」（段落【００１０】）
　「有利な実施形態は、以下の一つ又は複数の特徴を包含できる。動き検出処理は、低周波輝度領域と、高周波色度領域と、高周波輝度領域とのうちの一つ以上においてピクセル毎に実行可能であり、動き検出処理が実行される各周波数領域は、動き検出処理を受けている各ピクセルに対して動的に決定される閾値をそれぞれ有することができる。・・・」（段落【００１１】）
と記載されている。
　そして、〈発明を実施するための最良の形態〉として
　「動き検出処理は、いくつかの周波数領域において、色度及び輝度の両方について実行される。各領域は固有の閾値を有し、その固有の閾値は調節可能であるために、「偽の動き」に対する「真の動き」の優れた検出を可能にし、その結果、従来の３Dデコーダと比較して動きアーチファクトの少ないデコード画像が得られる。」（段落【００２０】）
　「動き検出ブロック（１１８）は、可変閾値ロジックブロック（１２０）から、低周波輝度領域と、高周波色度領域と、高周波輝度／色度領域とに対する別個の閾値をそれぞれ受領する（ステップ３００６）。可変閾値ロジックブロック（１２０）が各ピクセル及び各周波数領域に対する別個の閾値を供給する結果、動き検出は、従来の動き検出手法と比較して大幅に改善される。一実施形態において、閾値は、直に隣接するピクセルと比較した、ピクセルの値に基づく。このプロセスでは、異なる複数の周波数領域の動きの中で最大の動きを決定し、ピクセルの最終動き値とする（ステップ３００８）。」（段落【００２３】）
　「図７は、異なる複数の周波数領域で決定された動きに基づいて、最終的なＮＴＳＣの動きを決定する方法の概略ブロック図を示す。最終動きファイルは、異なる複数の周波数範囲で上のように決定された動きの最大のものである。」（段落【００３５】）
と記載されている。
　　
　段落【００１０】には、「動き検出処理は、受信ビデオ信号のいくつかの周波数領域において、色度成分及び輝度成分のそれぞれについて実行される。」と記載され、段落【００１１】には、「動き検出処理は、低周波輝度領域と、高周波色度領域と、高周波輝度領域とのうちの一つ以上においてピクセル毎に実行可能であ」ると記載されている。この記載は「一つ以上」であるから、一つも含まれるが、「動き検出処理は、受信ビデオ信号のいくつかの周波数領域において・・・実行される」（段落【００１０】）から、複数の周波数領域において実行されるものと理解できる。そして、「受信ビデオ信号のいくつかの周波数領域において、色度成分及び輝度成分のそれぞれについて実行される」は、「いくつかの周波数領域において、色度成分」だけで実行されるのではなく、「いくつかの周波数領域において、輝度成分」だけで実行されるのではなく、「動き検出処理は、低周波輝度領域と、高周波色度領域と、高周波輝度領域とのうちの一つ以上においてピクセル毎に実行可能であ」（段落【００１１】）るから、ある周波数領域において、色度成分について実行され、ほかの周波数領域において、輝度成分について実行されること含んでいると理解できる。
　そして、【発明を実施するための最良の形態】においては、「動き検出ブロック（１１８）は、可変閾値ロジックブロック（１２０）から、低周波輝度領域と、高周波色度領域と、高周波輝度／色度領域とに対する別個の閾値をそれぞれ受領する（ステップ３００６）。可変閾値ロジックブロック（１２０）が各ピクセル及び各周波数領域に対する別個の閾値を供給する結果、動き検出は、従来の動き検出手法と比較して大幅に改善される。」から、「低周波輝度領域と、高周波色度領域と、高周波輝度／色度領域」の領域において動き検出することが記載されている。
　　
　以上のことを踏まえると、補正後の請求項１における「前記動き検出処理は、低周波輝度領域と、高周波色度領域と、高周波輝度領域とのうち二つ以上において実行される」は、本願明細書に「低周波輝度領域と、高周波色度領域」において実施される等の「二つにおいて」実施される具体的な実施例は記載されていないこと、及び「一つ以上」（段落【００１１】）の記載があることからすると、文言どおり「前記動き検出処理」が、「低周波輝度領域と、高周波色度領域と、高周波輝度領域とのうち二つ以上において実行される」ことを意味し、「前記動き検出処理は、低周波輝度領域と、高周波色度領域と、において実行される」ことを含むものと認められる。
　そして、「前記動き検出処理は、低周波輝度領域と、高周波色度領域と、において実行される」ステップは、「前記受信ビデオ信号のいくつかの周波数領域内で、前記色度成分及び前記輝度成分のそれぞれについて、動き検出処理を実行するステップ」といえる。
　　
　そこで、「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップ」を「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、において実行されるステップ」とした発明を補正後発明として認定し、独立特許要件を検討する。
　　
　補正後発明は、下記のとおりである。
　　　　　記（補正後発明）
「テレビ受像機によって受信されたビデオ信号において、真の動きから偽の動きを識別する方法であって、
　輝度成分と色度成分とを含む前記ビデオ信号を前記テレビ受像機において受信するステップと、
　前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、において実行されるステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。」
　　
（４）刊行物１の記載 
　原査定の拒絶の理由に引用された特許第２９４２２６１号公報（上記引用文献１、以下「刊行物１」という。）には、「動き検出回路」（発明の名称）に関し、図面と共に次に掲げる事項が記載されている。 
　　
〈特許請求の範囲〉
（あ）「【請求項１】インタレース走査を行うテレビジョン信号の注目画素のフレーム間の動き量を検出する手段と、上記注目画素とその垂直方向の近傍の位置にある同一フィールド内の画素との差分を検出してフィールド内垂直相関量を検出する手段と、検出した動き量を入力として所定の動き検出感度特性に基づき動き量検出信号を出力する手段と、検出したフィールド内垂直相関量に基づき上記動き検出感度特性の立ち上がり位置、傾きおよび上限のうち少なくとも立ち上がり位置を変化させる制御手段とを備えることを特徴とする動き検出回路。」（１頁１欄２〜１１行）
　　
〈産業上の利用分野〉
（い）「この発明は色信号を輝度信号の高域周波数領域に周波数多重した複合テレビジヨン信号（以下、「Ｖ信号」という）から、輝度信号（以下、「Ｙ信号」または単に「Ｙ」という）および色信号（以下、「Ｃ信号」または単に「Ｃ」という）を分離するための動き適応YC分離装置において、画素信号の動き量を検出する動き検出回路に関する。」（１頁１欄１４行〜２欄５行）
　　
〈従来技術〉
（う）「従来の動き検出回路を用いた動き適応YC分離装置は、画像が静止画像であるか動画像であるかを局所的に判別し、その各部の画素信号に適したYC分離を行うものである。
　現行のNTSC方式では、Ｃ信号をＹ信号の高域周波数領域に周波数多重した複合信号となつている。このため、受像機ではYC分離が必要であり、その分離の不完全さはクロスカラーやドツトクロールなどの画質劣化を生じさせる。
　このため、近年の大容量のデジイタルメモリの発達に伴い、テレビジヨン信号の垂直走査周波数に等しいか、それ以上の遅延時間を有する遅延回路（以下、「遅延回路」という）を利用した動き適応YC分離装置が画質改善のための信号処理装置として種々提案されている。
　第10図は従来の動き適応YC分離装置の一例を示すブロツク回路図である。図において、入力端子（１）にはNTSC方式のＶ信号（101）が入力され、フイールド内YC分離回路（４），フレーム間YC分離回路（５），Y信号動き検出回路（６）及びＣ信号動き検出回路（７）の入力端にそれぞれ与えられる。フイールド内YC分離回路（４）にて図示していないフイールド内フイルタによつてYC分離されたフイールド内YC分離Ｙ信号Yf（102）と、フイールド内YC分離Ｃ信号Cf（103）は、それぞれＹ信号混合回路（９）の第１の入力端と、Ｃ信号混合回路（10）の第１の入力端に入力される。また、フレーム間YC分離回路（５）にて図示していないフレーム間フイルタによつてYC分離されたフレーム間YC分離Ｙ信号YF（104）と、フレーム間YC分離Ｃ信号CF（105）は、それぞれＹ信号混合回路（９）の第２の入力端と、Ｃ信号混合回路（10）の第２の入力端に入力される。他方、Ｙ信号動き検出回路（６）にて検出されたＹ信号動き量（106）は、合成回路（８）の一方の入力端に入力され、また、Ｃ信号動き検出回路（７）にて検出されたＣ信号動き量（107）は、合成回路（８）の他方の入力端に入力される。合成回路（８）にて合成された動き量検出信号Ｋ（108）は、Ｙ信号混合回路（９）の第３の入力端及びＣ信号混合回路（10）の第３の入力端にそれぞれ入力され、Ｙ信号動き検出回路（６）,C信号動き量検出回路（７）および合成回路（８）で、動き量検出回路（20）を構成している。
　Ｙ信号混合回路（９）の出力である動き適応YC分離Ｙ信号（109）は、出力端（２）より送出され、また、Ｃ信号混合回路（10）の出力である動き適応YC分離Ｃ信号（109）は出力端（３）より送出される。
　次に、この従来例の動作について説明する。
　動き検出回路（20）は、Ｖ信号（101）をYC分離するに当たり、Ｙ信号動き検出回路（６）及びＣ信号動き検出回路（７）の出力を合成回路（８）で合成して、Ｖ信号（101）が静止している画像を表す信号か、動きを表す信号かを判別する。Ｙ信号動き検出回路（６）は、例えば第11図のように、１フレーム遅延回路（63）および減算器（64）を用いてＹ信号の１フレーム差分を求め、低域通過フイルタ（以下、「LPF」という）（65）を通したのち絶対値回路（66）でその絶対値を求め、この絶対値を非線型変換回路（67）でＹ信号の低域成分の動き量を示す信号（106）に変換する。また、Ｃ信号動き検出回路（７）は、例えば第12図のように、２フレーム遅延回路（73）および減算器（74）を用いて２フレーム差分を求め、帯域通過フイルタ（以下、「BPF」という）を通したのち、絶対値回路（76）でその絶対値を求め、この絶対値を非線型変換回路（77）でＣ信号の動き量を示す信号（107）に変換する。合成回路（８）は、例えばＹ信号動き量信号（106）とＣ信号動き量信号（107）のうち、大きい方の値を選択して出力するように構成されている。
　この結果は、動き係数ｋ（０≦ｋ≦１）という形で表され、例えば画動の完全なる静止画像と判別した場合にはｋ＝0,また、画像を完全なる動画像を判別した場合にはｋ＝１というように、Ｙ信号混合回路（９）とＣ信号混合回路（10）に制御信号（108）としてあたえられる。
　一般に、画像が静止画像である場合には、フレーム間相関を利用したフレーム間YC分離を行つて、Ｙ信号とＣ信号を分離する。フレーム間YC分離回路（５）は例えば第13図のように１フレーム遅延回路（52）と加算器（53）とを用いて、１フレーム和を求めてYF信号（104）を抽出し、減算器（54）で入力からYF信号（104）を減ずることによりCF信号（105）を抽出している。
　また、一般に、画像が動画像である場合には、フイールド内相関を利用したフイールド内YC分離を行つてＹ信号とＣ信号を分離する。フイールド内YC分離回路（４）は例えば第14図のように１ライン遅延回路（42）と加算器（43）とを用いて、１ライン和を求めてYf信号（102）を抽出し、減算器（44）で入力からYf信号（102）を減ずることによりCf信号（103）を抽出している。
　動き適応YC分離装置では、このようなフレーム間YC分離回路（５）とフイールド内YC分離回路（４）とを並置し、合成回路（８）にて合成された動き係数ｋを表わす制御信号（108）により、Ｙ信号混合回路（９）に以下のような演算を行なわせて動き適応YC分離Ｙ信号（109）を出力する。
　Ｙ＝ｋ・Yf＋（１−ｋ）YF
　ここで、
Yf:フイールド内YC分離Ｙ信号出力（102）
YF:フレーム間YC分離Ｙ信号出力（104）である。同様に、制御信号（108）により、Ｃ信号混合回路（10）に以下のような演算を行なわせて動き適応YC分離Ｃ信号（110）を出力する。
　Ｃ＝ｋ・Cf＋（１−ｋ）CF
　ここで、
Cf:フイールド内YC分離Ｃ信号出力（103）
CF:フレーム間YC分離Ｃ信号出力（105）である。
　動き適応Ｙ信号（109）と動き適応Ｃ信号（110）は、それぞれ出力端子（２）及び出力端子（３）より送出される。」（１頁２欄７行〜２頁４欄４６行）
　　
〈発明が解決しようとする課題〉
（え）「従来の動き検出回路は、Ｙ信号動き検出回路およびＣ信号動き検出回路によりそれぞれ検出された動き量にもとづいて、フイールド内YC分離によるYf信号とCf信号、およびフレーム内YC分離によるYC分離によるYF信号とCF信号をそれぞれ混合するように構成されているので、Ｙ信号の垂直高域周波数成分及び斜め高域周波数成分をもつ画像が微小に動いた場合（例えば、カメラの振動などで微小に画像が揺れた場合など）には、Ｖ信号の高域周波数成分がＣ信号動き検出回路（７）によつて動き量が検出されると同時にＹ信号動き検出回路（６）によつても動き量が検出されるので、動き係数ｋが大きな値となる。このためフイールド内YC分離の重みが必要以上に増大するため解像度が低下し、しかもクロスカラー等の画質劣化を生じるという問題点があつた。
　この発明は、上記のような問題点を解消するためになされたもので、微小に揺れる斜め周波数の高い画像でも、解像度が高く、かつ、クロスカラー等の画質劣化の少ない画像を再生することのできる動き検出回路を得ることを目的とする。」（２頁４欄４８行〜３頁５欄１６行）
　　
〈課題を解決するための手段〉
（お）「この発明に係る動き検出回路は、インタレース走査を行うテレビジョン信号の注目画素のフレーム間の動き量を検出する手段と、上記注目画素とその垂直方向の近傍の位置にある同一フィールド内の画素との差分を検出してフィールド内垂直相関量を検出する手段と、検出した動き量を入力として所定の動き検出感度特性に基づき動き量検出信号を出力する手段と、検出したフィールド内垂直相関量に基づき上記動き検出感度特性の立ち上がり位置、傾きおよび上限のうち少なくとも立ち上がり位置を変化させる制御手段とを備えることを特徴とする。」（３頁５欄１８〜２７行）
　　
〈発明の実施例〉
（か）「以下、この発明の一実施例について説明する。第１図はこの実施例のブロツク回路図である。
　図において第10図と同一符号はそれぞれ同一、または相当部分を示しており、（11）はＶ信号のフイールド内垂直相関を検出するフイールド内垂直相関検出回路で、第３図はそのブロツク回路図である。
　また、第４図はＹ信号動き検出回路（６）のブロツク回路図、第５図はＣ信号動き検出回路（７）のブロツク回路図で、第11図および第12図で示した従来の動き検出回路を相違する点は、非線型変換回路（68）および（78）ににそれぞれフィールド内垂直相関検出信号ｌの入力端子を設け、フイールド内垂直相関検出信号ｌによつて動き検出感度を制御する構成した点である。」（３頁６欄１２〜２４行）
　　
（き）「以下、この実施例の動作を、従来例と異なる点について説明する。
　フイールド内垂直相関検出回路（11）は、第３図に示すように、入力端子（21）からＶ信号（101）が入力され、１ライン遅延回路（23）および減算器（24）の一方の入力端にそれぞれ与えられる。１ライン遅延回路（23）にて１ライン遅延されたＶ信号は、減算器（24）の他方の入力端に与えられて減算される。絶対値回路（25）は、減算器（24）にて得られたＶ信号の１ライン差分信号の絶対をとり、係数器（26）に与える。係数器（26）は入力された絶対値に対応したフイールド内垂直相関検出信号ｌ（111）を出力端子（22）より送出する。」（３頁６欄２５〜３７行）
　　
（く）「このように構成されたフイールド内垂直相関検出回路（11）は、第２図に示す周波数空間上で斜線を施した領域にスペクトルが存在する周波数成分、すなわち、垂直周波数（525/4）〔lph〕を中心とした垂直高域周波数成分を検出する。
　フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御する。この２つの非線形変換回路（68）および（78）の入出力特性は、例えば第６図のような可変特性に構成されている。すなわち、特性ａは、フイールド内垂直相関検出信号ｌ（111）が最小の時の特性を示しており、絶対値回路（66），（67）からの入力レベルがＡの値になるまでは動き量検出信号（112），（113）の出力レベルは０（すなわち、フレーム相関が高く、動き量は零）となり、Ａより大きくなるにつれて、徐々に出力レベルが増加（すなわち、フレーム間相関が徐々に低くなり、動き量が徐々に多くなる）して最終的に飽和する特性であつて、フイールド内垂直相関検出信号ｌ（111）のレベルが大きくなるにつれて特性b,c,dように出力開始点Ａが右方に移行し、絶対値回路（66），（76）から大きな入力がないと動きがあると判別されないように調節される。」（３頁６欄３８行〜４頁７欄１１行）
　　
（け）「Ｙ信号動き検出回路（６）は第６図に示す入出力特性でもつてＶ信号（101）からＹ信号の動き量を検出してＹ信号動き検出信号（112）を出力し、同様に、Ｃ信号動き検出回路（７）は、Ｃ信号動き量検出信号（113）を出力する。
　合成回路（８）は入力されたＹ信号動き検出信号（112）およびＣ信号動き量検出信号（113）のうち、値の大きい方を選択して動き係数klの制御信号（114）として出力する。
　Ｙ信号混合回路（９）およびＣ信号混合回路（10）はこの制御信号（114）をうけて
　Ｙ＝kl・Yf＋（１−kl）YF
　Ｃ＝kl・cf＋（１−Kl）CF
の演算を行い、画像の微小な動きにともない解像度の低下のない動き適応YC分離Yl信号（115）、およびクロスカラー等の画質の劣化のない動き適応YC分離Cl信号（116）を出力端子（２）および（３）からそれぞれ出力する。」（４頁７欄１２〜２９行）
　　
〈発明の効果〉
（こ）「以上のように、この発明によれば、フィールド内垂直相関量に応じて動き検出感度の立ち上がり位置、傾きおよび上限のうち少なくとも立ち上がり位置を変化させる制御手段を備えるから、フィールド内垂直相関が小さいときに動き検出感度を低くすることで画像の微小な動きにともなう解像度の低下、およびクロスカラー等の画質劣化が少ない動き適応YC分離を行うことができる効果がある。」（４頁８欄２７〜３４行）
　　
（５）対比
ア　刊行物１に記載された発明
　刊行物１には、「色信号を輝度信号の高域周波数領域に周波数多重した複合テレビジヨン信号（Ｖ信号）から、輝度信号（Ｙ信号）および色信号（Ｃ信号）を分離するための動き適応YC分離装置において、画素信号の動き量を検出する動き検出回路」（上記（い））が記載されている。
  「従来の動き検出回路を用いた動き適応YC分離装置は、画像が静止画像であるか動画像であるかを局所的に判別し、その各部の画素信号に適したYC分離を行うものであ」（上記（う））り、
　「Ｙ信号動き検出回路（６）は、・・・１フレーム遅延回路（63）および減算器（64）を用いてＹ信号の１フレーム差分を求め、低域通過フイルタ・・・（65）を通したのち絶対値回路（66）でその絶対値を求め、この絶対値を非線型変換回路（67）でＹ信号の低域成分の動き量を示す信号（106）に変換」（上記（う））し、また、「Ｃ信号動き検出回路（７）は、・・・２フレーム遅延回路（73）および減算器（74）を用いて２フレーム差分を求め、帯域通過フイルタ・・・を通したのち、絶対値回路（76）でその絶対値を求め、この絶対値を非線型変換回路（77）でＣ信号の動き量を示す信号（107）に変換」（上記（う））し、
　「従来の動き検出回路は、Ｙ信号動き検出回路およびＣ信号動き検出回路によりそれぞれ検出された動き量にもとづいて、フイールド内YC分離によるYf信号とCf信号、およびフレーム内YC分離によるYC分離によるYF信号とCF信号をそれぞれ混合するように構成されて」おり、この従来の動き検出回路は、「Ｙ信号の垂直高域周波数成分及び斜め高域周波数成分をもつ画像が微小に動いた場合（例えば、カメラの振動などで微小に画像が揺れた場合など）には、Ｖ信号の高域周波数成分がＣ信号動き検出回路（７）によつて動き量が検出されると同時にＹ信号動き検出回路（６）によつても動き量が検出されるので、動き係数ｋが大きな値となる。このためフイールド内YC分離の重みが必要以上に増大するため解像度が低下し、しかもクロスカラー等の画質劣化を生じるという問題点があ」（上記（え））り、
　刊行物１に記載された「動き検出回路」は、「上記のような問題点を解消するためになされたもので、微小に揺れる斜め周波数の高い画像でも、解像度が高く、かつ、クロスカラー等の画質劣化の少ない画像を再生することのできる」（上記（え））ことを目的とするものである。
　「・・・フイールド内垂直相関検出回路（11）は、・・・垂直周波数（525/4）〔lph〕を中心とした垂直高域周波数成分を検出する。
　フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御する。この２つの非線形変換回路（68）および（78）の入出力特性は、・・・入力レベルがＡの値になるまでは動き量検出信号（112），（113）の出力レベルは０・・・となり、Ａより大きくなるにつれて、徐々に出力レベルが増加・・・して最終的に飽和する特性であつて、フイールド内垂直相関検出信号ｌ（111）のレベルが大きくなるにつれて・・・出力開始点Ａが右方に移行し、絶対値回路（66），（76）から大きな入力がないと動きがあると判別されないように調節される。」（上記（く））
　「Ｙ信号動き検出回路（６）は」上記の「入出力特性でもつてＶ信号（101）からＹ信号の動き量を検出してＹ信号動き検出信号（112）を出力し、同様に、Ｃ信号動き検出回路（７）は、Ｃ信号動き量検出信号（113）を出力する。
　合成回路（８）は入力されたＹ信号動き検出信号（112）およびＣ信号動き量検出信号（113）のうち、値の大きい方を選択して動き係数klの制御信号（114）として出力する。」（上記（け））
　
　以上のとおり、刊行物１には、動き検出回路が動きを検出することが記載されており、この動き検出回路が動きを検出する手順は、動き検出回路が動きを検出する方法として認めることができ、この方法を以下のとおり、刊行物１に記載された発明（以下「刊行物１発明」という。）として認める。
　
「色信号を輝度信号の高域周波数領域に周波数多重した複合テレビジヨン信号（Ｖ信号）から、輝度信号（Ｙ信号）および色信号（Ｃ信号）を分離するための動き適応YC分離装置における、画素信号の動き量を検出する動き検出回路における動きを検出する方法であって、
　Ｙ信号動き検出回路（６）は、１フレーム遅延回路（63）および減算器（64）を用いてＹ信号の１フレーム差分を求め、低域通過フイルタ（65）を通したのち絶対値回路（66）でその絶対値を求め、この絶対値を非線型変換回路（67）でＹ信号の低域成分の動き量を示す信号（106）に変換し、
　Ｃ信号動き検出回路（７）は、２フレーム遅延回路（73）および減算器（74）を用いて２フレーム差分を求め、帯域通過フイルタを通したのち、絶対値回路（76）でその絶対値を求め、この絶対値を非線型変換回路（77）でＣ信号の動き量を示す信号（107）に変換し、
　フイールド内垂直相関検出回路（11）は、垂直周波数（525/4）〔lph〕を中心とした垂直高域周波数成分を検出し、
　フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御し、
　この２つの非線形変換回路（68）および（78）の入出力特性は、入力レベルがＡの値になるまでは動き量検出信号（112），（113）の出力レベルは０となり、Ａより大きくなるにつれて、徐々に出力レベルが増加して最終的に飽和する特性であつて、フイールド内垂直相関検出信号ｌ（111）のレベルが大きくなるにつれて出力開始点Ａが右方に移行し、絶対値回路（66），（76）から大きな入力がないと動きがあると判別されないように調節され、
　Ｙ信号動き検出回路（６）は、上記の入出力特性でもつてＶ信号（101）からＹ信号の動き量を検出してＹ信号動き検出信号（112）を出力し、同様に、Ｃ信号動き検出回路（７）は、Ｃ信号動き量検出信号（113）を出力し、
　合成回路（８）は入力されたＹ信号動き検出信号（112）およびＣ信号動き量検出信号（113）のうち、値の大きい方を選択して動き係数klの制御信号（114）として出力する、
　動き検出回路の動きを検出する方法。」
　　
イ　補正後発明と刊行物１発明との対比
　補正後発明と刊行物１発明とを対比する。
　　
（ア）「テレビ受像機によって受信されたビデオ信号において、真の動きから偽の動きを識別する方法であって」
　　
　刊行物１発明は、「色信号を輝度信号の高域周波数領域に周波数多重した複合テレビジヨン信号（Ｖ信号）から、輝度信号（Ｙ信号）および色信号（Ｃ信号）を分離するための動き適応YC分離装置における、画素信号の動き量を検出する動き検出回路における動きを検出する方法」である。
　刊行物１発明の「色信号を輝度信号の高域周波数領域に周波数多重した複合テレビジヨン信号（Ｖ信号）」は、「ビデオ信号」といえるものの、「テレビ受像機によって受信された」ものに限定されていない。補正後発明と相違する。
　刊行物１発明は、「動きを検出する方法」である。補正後発明における「真の動きから偽の動きを識別する」については、下記（オ）において検討する。
　　
（イ）「輝度成分と色度成分とを含む前記ビデオ信号を前記テレビ受像機において受信するステップ」
　　
　刊行物１発明は、「輝度成分と色度成分とを含む前記ビデオ信号を前記テレビ受像機において受信するステップ」を備えていない。補正後発明と相違する。
　　
（ウ）「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、において実行されるステップ」
　　
　刊行物１発明は、「Ｙ信号動き検出回路（６）は、１フレーム遅延回路（63）および減算器（64）を用いてＹ信号の１フレーム差分を求め、低域通過フイルタ（65）を通したのち絶対値回路（66）でその絶対値を求め、この絶対値を非線型変換回路（67）でＹ信号の低域成分の動き量を示す信号（106）に変換し、
　Ｃ信号動き検出回路（７）は、２フレーム遅延回路（73）および減算器（74）を用いて２フレーム差分を求め、帯域通過フイルタを通したのち、絶対値回路（76）でその絶対値を求め、この絶対値を非線型変換回路（77）でＣ信号の動き量を示す信号（107）に変換」するものであり、Ｙ信号の低域成分の動き量及びＣ信号の動き量を検出しているといえ、この動作は、動き検出処理を実行するステップといえる。
　また、刊行物１発明は、「色信号を輝度信号の高域周波数領域に周波数多重した複合テレビジヨン信号（Ｖ信号）から、輝度信号（Ｙ信号）および色信号（Ｃ信号）を分離するための動き適応YC分離装置における、画素信号の動き量を検出する動き検出回路における動きを検出する方法」であるから、Ｃ信号は、高周波領域である。
　したがって、刊行物１発明は、「動き検出処理は、低周波輝度領域と、高周波色度領域と、において実行されるステップ」を備えているといえ、補正後発明の「動き検出処理は、低周波輝度領域と、高周波色度領域と、において実行されるステップ」は、「前記受信ビデオ信号のいくつかの周波数領域内で、色度成分及び輝度成分のそれぞれについて、動き検出処理を実行するステップ」といえるから、刊行物１発明は、「ビデオ信号のいくつかの周波数領域内で、色度成分及び輝度成分のそれぞれについて、動き検出処理を実行するステップであって、前記動き検出処理は、低周波輝度領域と、高周波色度領域と、において実行されるステップ」を備えているといえる。
　しかしながら、「ビデオ信号」が、「前記受信ビデオ信号」ではない点で、刊行物１発明は、補正後発明と相違し、刊行物１発明は、上記（イ）のとおり「輝度成分と色度成分とを含む前記ビデオ信号を前記テレビ受像機において受信するステップ」を備えていないから、「色度成分及び輝度成分」が「前記色度成分及び前記輝度成分」でない点で、補正後発明と相違する。
　　
（エ）「前記動き検出処理を受けている各ピクセル及び各周波数領域に対する別個の閾値を決定するステップ」
　　
　刊行物１発明は、「フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御し、
　この２つの非線形変換回路（68）および（78）の入出力特性は、入力レベルがＡの値になるまでは動き量検出信号（112），（113）の出力レベルは０となり、Ａより大きくなるにつれて、徐々に出力レベルが増加して最終的に飽和する特性であつて、フイールド内垂直相関検出信号ｌ（111）のレベルが大きくなるにつれて出力開始点Ａが右方に移行し、絶対値回路（66），（76）から大きな入力がないと動きがあると判別されないように調節され、
　Ｙ信号動き検出回路（６）は、上記の入出力特性でもつてＶ信号（101）からＹ信号の動き量を検出してＹ信号動き検出信号（112）を出力し、同様に、Ｃ信号動き検出回路（７）は、Ｃ信号動き量検出信号（113）を出力（し、）」するものであり、
　「フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御」し、「この２つの非線形変換回路（68）および（78）の入出力特性は、入力レベルがＡの値になるまでは動き量検出信号（112），（113）の出力レベルは０となり」、
「相関検出信号ｌ（111）のレベルが大きくなるにつれて出力開始点Ａが右方に移行し、絶対値回路（66），（76）から大きな入力がないと動きがあると判別されないように調節され」るから、「出力開始点」は「閾値」といえ、非線形変換回路（68）は、Ｙ信号動き検出回路（６）のものであり、非線形変換回路（78）は、Ｃ信号動き検出回路（６）のものであり、上記（ウ）のとおり、Ｙ信号は、低周波領域のもの、Ｃ信号は、高周波領域のものであり、「相関検出信号ｌ（111）のレベルが大きくなるにつれて」「出力開始点Ａが右方に移行」するから、「各周波数領域に対する別個の閾値を決定」しているといえる。
　そして、刊行物１発明は、「画素信号の動き量を検出する動き検出回路における動きを検出する方法」であり、画素すなわちピクセルに対し、動き量を検出するものであるから、「前記動き検出処理を受けている各ピクセル及び各周波数領域に対する別個の閾値を決定するステップ」を備えているといえる。
　　
（オ）「各ピクセル及び各周波数領域に対する前記別個の閾値を用いて真の動きから偽の動きを識別するステップ」
　　
　補正後発明における「真の動きから偽の動きを識別する」がどのようなことを意味しているのか検討する。
　本願明細書には次の記載がある。
　　
　「二つのフレーム間に「真の動き」が存在するか、或いは、知覚された動きが、例えば、ジッタ又はノイズによる「偽の動き」であるかどうかを正確に検知することで、動きアーチファクトを最小化する必要がある。」（段落【０００９】）
　「各周波数領域は、真の動きから偽の動きを識別するための固有の閾値を有し、」（段落【００１０】）
　「動き検出処理は、いくつかの周波数領域において、色度及び輝度の両方について実行される。各領域は固有の閾値を有し、その固有の閾値は調節可能であるために、「偽の動き」に対する「真の動き」の優れた検出を可能にし、その結果、従来の３Dデコーダと比較して動きアーチファクトの少ないデコード画像が得られる。」（段落【００２０】）
　「可変閾値ロジックは、サンプリングクロックのジッタ／変動に起因する信号エッジでのピクセル値の変動による偽の動きを除去するのに役立つ。」（段落【００４７】）
　　
　以上の記載から、動きのアーチファクトを最小化するために、二つのフレーム間に「真の動き」が存在するか、ノイズ等による「偽の動き」であるかを正確に検知することが必要で、「閾値」を調整可能にすることにより、「偽の動き」に対する「真の動き」の優れた検出を可能にすることが理解できる。
　そうすると、「各ピクセル及び各周波数領域に対する前記別個の閾値を用いて真の動きから偽の動きを識別するステップ」は、上記（エ）で決定された「閾値」を用いて、「閾値」より小さい場合は「真の動き」ではなく、ノイズ等による「偽の動き」であると識別するステップと理解できる。
　　
　刊行物１発明は、「フイールド内垂直相関検出信号ｌ（111）は、Ｙ信号動き検出回路（６）の入力端子（63）およびＣ信号動き検出回路（７）の入力端子（73）から入力され、非線形変換回路（68）および（78）の入出力特性を制御し、
　この２つの非線形変換回路（68）および（78）の入出力特性は、入力レベルがＡの値になるまでは動き量検出信号（112），（113）の出力レベルは０となり、Ａより大きくなるにつれて、徐々に出力レベルが増加して最終的に飽和する特性であつて、フイールド内垂直相関検出信号ｌ（111）のレベルが大きくなるにつれて出力開始点Ａが右方に移行し、絶対値回路（66），（76）から大きな入力がないと動きがあると判別されないように調節され、
　Ｙ信号動き検出回路（６）は、上記の入出力特性でもつてＶ信号（101）からＹ信号の動き量を検出してＹ信号動き検出信号（112）を出力し、同様に、Ｃ信号動き検出回路（７）は、Ｃ信号動き量検出信号（113）を出力し、
　合成回路（８）は入力されたＹ信号動き検出信号（112）およびＣ信号動き量検出信号（113）のうち、値の大きい方を選択して動き係数klの制御信号（114）として出力する」ものであり、「フイールド内垂直相関検出信号ｌ（111）のレベルが大きくなるにつれて出力開始点Ａが右方に移行し、絶対値回路（66），（76）から大きな入力がないと動きがあると判別されないように調節され」ることは、小さな入力では動きがないと判別されることであり、本当の動きではないとしているものである。
　刊行物１発明は、上記（エ）のとおり、「前記動き検出処理を受けている各ピクセル及び各周波数領域に対する別個の閾値を決定するステップ」を備えているといえ、刊行物１発明は、この「別個の閾値」を用いて動きを検出しており、「閾値」より小さい場合は「真の動き」ではなく、ノイズ等による「偽の動き」であると識別しているといえる。
　したがって、刊行物１発明は、「各ピクセル及び各周波数領域に対する前記別個の閾値を用いて真の動きから偽の動きを識別するステップ」を備えているといえる。
　そうであるから、刊行物１発明は、「真の動きから偽の動きを識別する」方法といえる（上記（ア）参照）。
　　
ウ　一致点、相違点
　そうすると、補正後発明と刊行物１発明の一致点、相違点は次のとおりである。
　　
［一致点］
　ビデオ信号において、真の動きから偽の動きを識別する方法であって、
　前記ビデオ信号のいくつかの周波数領域内で、色度成分及び輝度成分のそれぞれについて、動き検出処理を実行するステップであって、前記動き検出処理は、低周波輝度領域と、高周波色度領域と、において実行されるステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。
　　
［相違点］
  補正後発明は、「輝度成分と色度成分とを含む前記ビデオ信号を前記テレビ受像機において受信するステップ」を備えているのに対し、刊行物１発明は、そのようなステップを備えておらず、それに伴い、
　「ビデオ信号において、真の動きから偽の動きを識別する方法であって」の「ビデオ信号」が、補正後発明においては、「テレビ受像機によって受信されたビデオ信号」であるのに対し、刊行物１発明は、そうではなく、
　 「前記ビデオ信号のいくつかの周波数領域内」の 「前記ビデオ信号」が、補正後発明においては、「前記受信ビデオ信号」であるに対し、刊行物１発明が、そうではなく、
　「色度成分及び輝度成分」が、補正後発明においては、「前記色度成分及び前記輝度成分」であるのに対し、刊行物１発明が、そうではない点。
　　
（６）相違点の判断等 
ア　相違点の判断
　 刊行物１発明は、
「色信号を輝度信号の高域周波数領域に周波数多重した複合テレビジヨン信号（Ｖ信号）から、輝度信号（Ｙ信号）および色信号（Ｃ信号）を分離するための動き適応YC分離装置における、画素信号の動き量を検出する動き検出回路における動きを検出する方法」であり、「色信号を輝度信号の高域周波数領域に周波数多重した複合テレビジヨン信号（Ｖ信号）」は、「輝度成分と色度成分とを含む」「ビデオ信号」といえ、この信号をテレビ受像機で受信することは広く知られているから、
　刊行物１発明において、「輝度成分と色度成分とを含む」「ビデオ信号を」「テレビ受像機において受信するステップ」を備えることは、当業者が容易になし得ることであり、このステップを備えることにより、
　「ビデオ信号において、真の動きから偽の動きを識別する方法であって」の「ビデオ信号」が、「テレビ受像機によって受信されたビデオ信号」となり、
　「前記ビデオ信号のいくつかの周波数領域内」の 「前記ビデオ信号」が、「前記受信ビデオ信号」となり、
　「色度成分及び輝度成分」が、「前記色度成分及び前記輝度成分」となることは明らかである。
　　
イ　効果等 
　以上のように、相違点に係る構成は当業者が容易に想到できたものである。そして、補正後発明の構成は、上記のとおり当業者が容易に想到することができたものであるところ、補正後発明が奏する効果は、その容易想到である構成から当業者が容易に予測し得る範囲内のものであり、同範囲を超える顕著なものでもない。
　したがって、補正後発明は、刊行物１に記載された発明に基づいて当業者が容易に発明することができたものである。
　　
ウ　補正後の請求項１に係る発明について
　上記（３）のとおり、補正後の請求項１に係る発明は、補正後発明を含むものである。
　そして、補正後発明は、刊行物１発明に基づいて容易に発明できたものであることは、上記（４）〜（６）ウのとおりであるから、補正後の請求項１に係る発明は、刊行物１発明に基づいて容易に発明できたものである。
　　
　したがって、補正後の請求項１に係る発明は、刊行物１に記載された発明に基づいて当業者が容易に発明することができたものであるから、特許法２９条２項の規定により特許出願の際独立して特許を受けることができない。 　
　よって、本件補正は、平成１８年法律第５５号改正附則第３条第１項によりなお従前の例によるとされる同法による改正前の特許法第１７条の２第５項において準用する同法第１２６条第５項の規定に違反している。 
 　 
３　まとめ 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　よって、補正却下の決定の結論のとおり決定する。 
 　 
第３　本願発明について 
１　本願発明 
　平成２３年７月２７日付けの手続補正は、上記のとおり却下されたので、本願の請求項１から２１に係る発明は、平成２２年３月３日付け手続補正により補正された明細書及び図面の記載からみて、その特許請求の範囲の請求項１から２１に記載した事項により特定されるとおりのものであるところ、請求項１に係る発明（以下「本願発明」という。）は次のとおりである。
　　
「テレビ受像機によって受信されたビデオ信号において、真の動きから偽の動きを識別する方法であって、
　輝度成分と色度成分とを含む前記ビデオ信号を前記テレビ受像機において受信するステップと、
　前記受信ビデオ信号のいくつかの周波数領域内で、前記色度成分及び前記輝度成分のそれぞれについて、動き検出処理を実行するステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。」
　　
２　引用文献
　原査定の拒絶の理由に引用された引用文献１の記載事項は、上記第２の２（４）に記載したとおりである。 
 　 
３　対比・判断
（１）対比
　本願発明は、補正後の請求項１に係る発明における
「前記受信ビデオ信号のいくつかの周波数領域内で、前記色度成分及び前記輝度成分のそれぞれについて、動き検出処理を実行するステップであって、前記動き検出処理は、低周波輝度領域と、高周波色度領域と、高周波輝度領域とのうち二つ以上において実行されるステップ」の 
「前記動き検出処理は、低周波輝度領域と、高周波色度領域と、高周波輝度領域とのうち二つ以上において実行されるステップ」の限定をなくし、「前記受信ビデオ信号のいくつかの周波数領域内で、前記色度成分及び前記輝度成分のそれぞれについて、動き検出処理を実行するステップ」としたものであり、その他は補正後の請求項１に係る発明と同じである。 
　引用文献１に記載された発明（以下「引用発明」という。）は、上記第２の２（５）アに記載した刊行物１発明と同じである。 
　そうすると、一致点、相違点は以下のとおりである。
　　
［一致点］
　ビデオ信号において、真の動きから偽の動きを識別する方法であって、
　前記ビデオ信号のいくつかの周波数領域内で、色度成分及び輝度成分のそれぞれについて、動き検出処理を実行するステップと、
　前記動き検出処理を受けている各ピクセル及び各周波数領域に対する別個の閾値を決定するステップと、
　各ピクセル及び各周波数領域に対する前記別個の閾値を用いて真の動きから偽の動きを識別するステップと、
　を備える方法。
　　
［相違点］
  本願発明は、「輝度成分と色度成分とを含む前記ビデオ信号を前記テレビ受像機において受信するステップ」を備えているのに対し、引用発明は、そのようなステップを備えておらず、それに伴い、
　「ビデオ信号において、真の動きから偽の動きを識別する方法であって」の「ビデオ信号」が、本願発明においては、「テレビ受像機によって受信されたビデオ信号」であるのに対し、引用発明は、そうではなく、
　「前記ビデオ信号のいくつかの周波数領域内」の 「前記ビデオ信号」が、本願発明においては、「前記受信ビデオ信号」であるに対し、引用発明が、そうではなく、
　「色度成分及び輝度成分」が、本願発明においては、「前記色度成分及び前記輝度成分」であるのに対し、引用発明が、そうではない点。
　　
（２）判断
　［相違点］は、上記第２の２（５）ウ［相違点］と同じであるから、上記第２の２（６）ア［相違点］の判断を援用する。
　したがって、本願発明は、引用文献１に記載された発明により当業者が容易に発明できたものである。 
　　
５　むすび 
　以上のとおり、本願の請求項１に係る発明は、引用文献１に記載された発明に基づいて、当業者が容易に発明することができたものであるから、特許法第２９条第２項の規定により特許を受けることができない。
　したがって、残る請求項２から２１に係る発明について検討するまでもなく、本願は拒絶されるべきものである。
　　
　よって、結論のとおり審決する。